(57)【要約】【課題】切り始め端部及び切り終わり端部で平行定規の一端部が垂れ下がるのを防ぎ、切り始めから切り終わるまで安定して正確に切断することができる丸鋸用平行定規の提供。【解決手段】帯状で電動丸鋸１のベース盤２に切断方向と直交するよう取り付けられる定規板７と、定規板７の一端部に設けられ、被切断物の側面に摺動自在に当接するスライド面８ａを有するスライド板８を備え、丸鋸１とスライド板８のスライド面８ａとの間に、定規板７よりも切断方向前後側へ張り出し、被切断物の上面に載置される支持部１１を設けてある。【選択図】図４
0003180578.tif 000002
【実用新案登録請求の範囲】
【請求項１】
定規板及びスライド板を備え、定規板は、帯状で電動丸鋸のベース盤に切断方向と直交するよう取り付けられ、スライド板は、定規板の一端部に設けられ、被切断物の側面に摺動自在に当接するスライド面を有する丸鋸用平行定規において、丸鋸とスライド板のスライド面との間に、定規板よりも切断方向前後側へ突出し、被切断物の上面に載置される支持部を設けたことを特徴とする丸鋸用平行定規。
【請求項２】
支持部を定規板に長手方向へ摺動・固定可能に、且つ、着脱可能に取り付けたことを特徴とする請求項１に記載の丸鋸用平行定規。
【請求項３】
支持部をスライド板の上端に沿って、スライド面と直交し、且つ、定規板の他端側へ張り出すよう一体に形成したことを特徴とする請求項１に記載の丸鋸用平行定規。
【考案の詳細な説明】
【技術分野】
【０００１】
本考案は、電動丸鋸のベース盤に取り付けて使用する丸鋸用平行定規に関する。
【背景技術】
【０００２】
従来、木材等を電動丸鋸で一定幅に切断する際に、丸鋸のベース盤に取り付けて、丸鋸の進路を安定させる平行定規が知られている（特許文献１及び特許文献２参照）。
図１及び図２に示すように、丸鋸１は、ベース盤２と、ベース盤２の上面に取り付けられたモータ３及び取っ手４と、モータ３の出力軸に連結された丸鋸刃５を備える。丸鋸刃５はベース盤２の下方に突出しており、被切断物Ａの上面にベース盤２を載せ、モータ３を駆動して丸鋸刃５を回転させながら、取っ手４を持って丸鋸１を移動させることにより被切断物Ａを切断するようになっている。
【０００３】
また、丸鋸１に取り付けられる平行定規６は、細長い帯状の定規板７と、定規板７の一端部に設けられたスライド板８を有する。
定規板７の上面には長さ目盛りが表示され、定規板７の一端部を下方に折り返して、その先端にスライド板８が取り付けられている。スライド板８は、定規板７の長手方向と直交して、定規板７の前後方向へ大きく突出しており、スライド板８の定規板７の他端に向いた側面は、被切断物Ａの側面に摺動自在に当接するスライド面８ａとなっている。
また、定規板７は、丸鋸１のベース盤２の上面に切断方向（丸鋸刃５の面方向）と直交するように取り付けられ、ベース盤２に設けた押しネジ１０を緩めたり締め付けることにより、定規板７を長手方向へ摺動或いは固定することができる。
【０００４】
従って、丸鋸１を定規板７の長手方向に摺動させて、スライド板８のスライド面８ａと丸鋸刃５との距離を切断幅に合わせておき、被切断物Ａの側面にスライド面８ａを当接すると共に、被切断物Ａの上面にベース盤２を載せ、スライド板８を被切断物Ａの側面に押し当てながら丸鋸１及び平行定規６を移動させることにより、被切断物Ａを一定幅に切断することができる。
ところが、丸鋸１の進路を安定させるために、スライド板８には一定以上の強度と長さが必要であり、スライド板８を設けた平行定規６の一端部はどうしても重くなってしまう。
また、丸鋸刃５は、その刃先の軌道が定規板７を通過しないように、定規板７から切断方向に対して後退した位置に取り付けられる。
【０００５】
このため、切り終わりの端部では、丸鋸刃５による切断が終了する前に定規板７が被切断物Ａの上面から外れてしまい、スライド板８の被切断物Ａを押圧している部分の長さも短くなってしまうので、図３に示すように、平行定規６の重い一端部が丸鋸１の位置から垂れ下がり、正確に切断できないばかりか、危険でもある。切り始めの端部でも、定規板７が被切断物Ａにかかるまで同様のことが起こり得る。
特に、切断幅が広くて、丸鋸１とスライド板８の間の距離が長い場合は、垂れ下がる量が大きく、また、被切断物Ａが薄いと、スライド板８が完全に被切断物Ａの側面から外れてしまい、きわめて不安定となる。
平行定規６の一端部を手で支えようとしても、一方の手で丸鋸１を操作し、他方の手で被切断物Ａを押えるため、平行定規６を支えるのは難しかった。
【先行技術文献】
【特許文献】
【０００６】
【特許文献１】特開２０１１-２４５８３７号公報
【特許文献２】実用新案登録第３１６３６４４号公報
【考案の概要】
【考案が解決しようとする課題】
【０００７】
本考案が解決しようとする課題は、切り始め端部及び切り終わり端部で平行定規のスライド板を設けた一端部が垂れ下がるのを防ぎ、切り始めから切り終わるまで安定して正確に切断することができる丸鋸用平行定規を提供することにある。
【課題を解決するための手段】
【０００８】
本考案は、定規板及びスライド板を備え、定規板は、帯状で電動丸鋸のベース盤に切断方向と直交するよう取り付けられ、スライド板は、定規板の一端部に設けられ、被切断物の側面に摺動自在に当接するスライド面を有する丸鋸用平行定規に関し、丸鋸とスライド板のスライド面との間に、定規板よりも切断方向前後側へ突出し、被切断物の上面に載置される支持部を設けてある。
支持部を定規板に長手方向へ摺動・固定可能に、且つ、着脱可能に取り付けることがある。
或いは、支持部をスライド板の上端に沿って、スライド面と直交し、且つ、定規板の他端側へ張り出すよう一体に形成することもある。
【考案の効果】
【０００９】
請求項１に係る考案によれば、切り始め端部及び切り終わり端部で定規板が被切断物から外れた時に、被切断物の上面に載置された支持部が定規板のスライド板を設けた一端部の重量を支えるので、定規板が垂れ下がることはなく、この結果、被切断物を切り始めから切り終わるまで正確に一定幅で切断することができ、切断作業の安全性も高まる。
請求項２に係る考案によれば、切断幅に応じて、支持部の取付位置を調節可能であり、切断幅が狭くて支持部が不要な場合は取り外すこともできる。
請求項３に係る考案によれば、部品数が少なく、構造が簡単で、コストが低廉で済む。
【図面の簡単な説明】
【００１０】
【図１】従来の丸鋸用平行定規を示す斜視図である。
【図２】従来の丸鋸用平行定規に使用状態における斜視図である。
【図３】従来の丸鋸用平行定規の切り終わり端部における正面図である。
【図４】本考案の実施例１を示す丸鋸用平行定規の斜視図である。
【図５】本考案の実施例１に係る支持部の分解斜視図である。
【図６】本考案の実施例１を示す丸鋸用平行定規の切り始め端部における要部斜視図である。
【図７】本考案の実施例１を示す丸鋸用平行定規の切り終わり端部における要部斜視図である。
【図８】本考案の実施例２を示す丸鋸用平行定規の斜視図である。
【図９】本考案の実施例２を示す丸鋸用平行定規の切り終わり端部における要部斜視図である。
【考案を実施するための形態】
【００１１】
以下、本考案の実施例を図面に基づいて詳細に説明する。
図４〜図７は、本考案の実施例１を示す。
実施例１の平行定規６’は、図４に示すように、丸鋸１のベース盤２に切断方向と直交するよう取り付けられる帯状の定規板７と、定規板７の一端部に設けられたスライド板８を備える。
丸鋸１と平行定規６’の定規板７及びスライド板８の基本的な構造は、図１〜図３に示す従来のものと変わらないので、共通する部分には同一符号を付して詳細な説明は省略する。
【００１２】
実施例１の平行定規６’では、丸鋸１とスライド板８のスライド面８ａとの間において、定規板７に支持部１１が取り付けられている。
支持部１１は、図５に示すように、短冊状の下板１２と、下板１２の上面に重合される上板１３と、上板１３の両端部を下板１２に固定する一対の止めネジ１４から成る。
下板１２の上面には、長手方向中間部に溝部１５が形成され、溝部１５の両側にネジ穴１６が形成されている。溝部１５の前後方向の幅は定規板７の幅より僅かに広く、溝部１５の深さは定規板７の厚みより僅かに浅くなっている。
上板１３は、下板１２の溝部１５及びネジ穴１６を覆う長さを有し、ネジ穴１６と対応する位置に透孔１７が形成されている。
【００１３】
下板１２の溝部１５を定規板７の任意の位置に下から係合し、定規板７を覆うように下板１２の上面に上板１３を重ね、上板１３の透孔１７を通して下板１２のネジ穴１６に止めネジ１４を締め込むことにより、定規板７に支持部１１を固定することができる。このように、支持部１１を定規板７に取り付けると、支持部１１は、定規板７よりも切断方向前後側へ突出する。
また、止めネジ１４を緩めれば、支持部１１を定規板７に沿って摺動させることができ、止めネジ１４をネジ穴１６から抜けば、支持部１１を定規板７から取り外すことができる。従って、切断幅に応じて、支持部１１の取付位置を調節可能であり、切断幅が狭くて支持部１１が不要な場合は取り外すこともできる。
【００１４】
この平行定規６’を取り付けた丸鋸１で被切断物Ａを切断すると、切り始め端部では、図６に示すように、丸鋸１かあるいは定規板７が被切断物Ａから外れていても、支持部１１の前部が被切断物Ａの上面に載置されて平行定規６’の一端部を支持するので、平行定規６’の一端部が重みで垂れ下がることはない。
切断中は、丸鋸１の移動に伴って、支持部１１も被切断物Ａの上面に載置された状態で定規板７と共に移動する。
一方、切り終わり端部では、図７に示すように、切断終了前に定規板７が被切断物Ａから外れてしまっても、支持部１１の後部が被切断物Ａの上面に載置されて平行定規６’の一端部を支持するので、平行定規６’は垂れ下がらない。
【００１５】
図８及び図９は、本考案の実施例２を示す。
図８に示すように、実施例２の平行定規６”では、支持部１１をスライド板８の上端に沿って一体に形成する。支持部１１は、スライド板８のスライド面８ａと直交し、定規板７の他端側へ張り出している。
スライド板８が金属製或いはプラスチック製であれば、スライド板８の上端を屈曲して支持部１１を形成し、スライド板８が木製の場合は、別体の支持部１１をスライド板８の上端面に固定すればよい。
その他の構造は、従来の平行定規６或いは実施例１の平行定規６’と同様である。
【００１６】
平行定規６”を取り付けた丸鋸１で被切断物Ａを切断する際には、スライド板８のスライド面８ａを被切断物Ａの側面に当接すると共に、支持部１１を被切断物Ａの上面側端部に載置する。
すると、切り始め端部及び切り終わり端部では、それぞれ支持部１１の前部及び後部が被切断物Ａの上面に載置されて平行定規６”の一端部の重量を支持するので、定規板７が被切断物Ａから外れても、平行定規６”は垂れ下がらない（図９）。
【符号の説明】
【００１７】
Ａ  被切断物
１  丸鋸
２  ベース盤
３  モータ
４  取っ手
５  丸鋸刃
６，６’，６”  平行定規
７  定規板
８  スライド板
８ａ  スライド面
１０  押しネジ
１１  支持部
１２  下板
１３  上板
１４  止めネジ
１５  溝部
１６  ネジ穴
１７  透孔
【図１】
0003180578.tif 000003
【図２】
0003180578.tif 000004
【図３】
0003180578.tif 000005
【図４】
0003180578.tif 000006
【図５】
0003180578.tif 000007
【図６】
0003180578.tif 000008
【図７】
0003180578.tif 000009
【図８】
0003180578.tif 000010
【図９】
0003180578.tif 000011